(57)【要約】  本発明は、衣類の処理機器の技術分野に属し、具体的には、衣類用のディザリング装置及び衣類の処理機器を提供する。本発明は、従来技術における衣類の洗濯、乾燥後のシワの問題を解決することを目的とする。本発明のディザリング装置は、ビームと、第１リンクと、第２リンクと、モータとを含み、ビームが支持ベースにスライドして接続され、ビームがハンガーを担持するために用いられ、又はその上にハンガーが設置され、モータのハウジングが支持ベースに固定して接続され、第１リンクの一端がビームに枢着され、第１リンクの他端が第２リンクの一端に枢着され、第２リンクの他端がモータの回転軸に駆動して接続され、モータが第２リンクを駆動して回動させ、それにより第１リンクがビームを動かして自体の長手方向に沿って往復直線運動させることができる。本発明の往復直線運動をするビームは、ハンガーを介して衣類を動かしてディザリングさせ、衣類の脱水乾燥の目的を達成することができ、シワの発生を防止し、ユーザの使用体験を高めることができる。
2021533898.tif 000002
【特許請求の範囲】
【請求項１】
衣類用のディザリング装置であって、前記ディザリング装置は、ビームと、第１リンクと、第２リンクと、モータとを含み、
前記ビームが支持ベースにスライドして接続され、前記ビームがハンガーを担持するために用いられ、又はその上にハンガーが設置され、
前記モータのハウジングが前記支持ベースに固定して接続され、
前記第１リンクの一端が前記ビームに枢着され、前記第１リンクの他端が前記第２リンクの一端に枢着され、前記第２リンクの他端が前記モータの回転軸に駆動して接続され、
前記モータが前記第２リンクを駆動して回動させ、それにより前記第１リンクが前記ビームを動かして自体の長手方向に沿って往復直線運動させることができることを特徴とする衣類用のディザリング装置。
【請求項２】
前記ディザリング装置は、前記第１リンクと前記ビームとの間に設置された第１スライド補助構造をさらに含み、前記第１リンクが前記第１スライド補助構造を介して前記ビームに枢着されることを特徴とする請求項１に記載の衣類用のディザリング装置。
【請求項３】
前記ディザリング装置は、前記第１リンクと前記第２リンクとの間に設置された第２スライド補助構造をさらに含み、前記第１リンクが前記第２スライド補助構造を介して前記第２リンクに枢着されることを特徴とする請求項２に記載の衣類用のディザリング装置。
【請求項４】
前記第１スライド補助構造及び／又は前記第２スライド補助構造が軸受又は無給油ブッシュであることを特徴とする請求項３に記載の衣類用のディザリング装置。
【請求項５】
前記ディザリング装置は、前記ビームと前記第１リンクとの間に設置され、前記ビームに固定して接続され、又は一体的に構成され、前記第１リンクの前記一端に枢着された支持棒をさらに含むことを特徴とする請求項１に記載の衣類用のディザリング装置。
【請求項６】
前記ディザリング装置は、前記ビームと前記第１リンクとの間に設置され、前記ビームに固定して接続され、又は一体的に構成され、前記第１リンクの前記一端に枢着され、且つ前記第１リンクと第２リンクを収容できる取り付けボックスをさらに含むことを特徴とする請求項１に記載の衣類用のディザリング装置。
【請求項７】
前記ディザリング装置は、ハウジングが前記モータのハウジング又は前記支持ベースに固定して接続され、入力軸が前記モータの回転軸に駆動して接続され、出力軸が前記第２リンクの他端に駆動して接続された減速機をさらに含むことを特徴とする請求項１から６のいずれか一項に記載の衣類用のディザリング装置。
【請求項８】
前記ディザリング装置は、その一端が前記支持ベースに固定して接続され、又は一体的に構成され、その他端が前記ビームにスライドして接続され、それによって前記ビームが自体の長手方向に沿ってスライド可能である支持アームをさらに含み、
且つ／又は、前記モータが電動機であることを特徴とする請求項１から６のいずれか一項に記載の衣類用のディザリング装置。
【請求項９】
衣類の処理機器であって、
前記衣類の処理機器は、請求項１から８のいずれか一項に記載のディザリング装置を含み、前記支持ベースが前記衣類の処理機器の筐体であることを特徴とする衣類の処理機器。
【請求項１０】
前記衣類の処理機器がドライクリーニング機、衣類乾燥機、衣類ケア機又はワードローブであることを特徴とする請求項９に記載の衣類の処理機器。
【発明の詳細な説明】
【技術分野】
【０００１】
本発明は、衣類の処理機器の技術分野に属し、具体的には、衣類用のディザリング装置及び衣類の処理機器を提供する。
【背景技術】
【０００２】
洗濯機で洗濯をする時、衣類は、洗濯機内で絶えず転がったり、回動したり、巻きつけたりして、洗濯後の衣類にシワが残ることが多い。洗濯機で衣類を脱水したり、乾燥機で衣類を高温乾燥したりする時、衣類が伸びず、シワが残る。ユーザは、衣類を着用する時には、手動で平らにする必要があり、ユーザの使用体験が劣る。
【０００３】
それに応じて、本分野は、上記問題を解決するために、新規な衣類用のディザリング装置及び衣類の処理機器を必要とする。
【発明の概要】
【発明が解決しようとする課題】
【０００４】
従来技術における上記問題を解決するために、すなわち、従来技術における衣類の洗濯、乾燥後のシワの問題を解決するために、本発明は、ビームと、第１リンクと、第２リンクと、モータとを含み、前記ビームが支持ベースにスライドして接続され、前記ビームがハンガーを担持するために用いられ、又はその上にハンガーが設置され、前記モータのハウジングが前記支持ベースに固定して接続され、前記第１リンクの一端が前記ビームに枢着され、前記第１リンクの他端が前記第２リンクの一端に枢着され、前記第２リンクの他端が前記モータの回転軸に駆動して接続され、前記モータが前記第２リンクを駆動して回動させ、それにより前記第１リンクが前記ビームを動かして自体の長手方向に沿って往復直線運動させることができる衣類用のディザリング装置を提供する。
【０００５】
上記ディザリング装置の好ましい技術的解決手段において、前記ディザリング装置は、前記第１リンクと前記ビームとの間に設置された第１スライド補助構造をさらに含み、前記第１リンクが前記第１スライド補助構造を介して前記ビームに枢着される。
【０００６】
上記ディザリング装置の好ましい技術的解決手段において、前記ディザリング装置は、前記第１リンクと前記第２リンクとの間に設置された第２スライド補助構造をさらに含み、前記第１リンクが前記第２スライド補助構造を介して前記第２リンクに枢着される。
【０００７】
上記ディザリング装置の好ましい技術的解決手段において、前記第１スライド補助構造及び／又は前記第２スライド補助構造が軸受又は無給油ブッシュである。
【０００８】
上記ディザリング装置の好ましい技術的解決手段において、前記ディザリング装置は、前記ビームと前記第１リンクとの間に設置され、前記ビームに固定して接続され、又は一体的に構成され、前記第１リンクの前記一端に枢着された支持棒をさらに含む。
【０００９】
上記ディザリング装置の好ましい技術的解決手段において、前記ディザリング装置は、前記ビームと前記第１リンクとの間に設置され、前記ビームに固定して接続され、又は一体的に構成され、前記第１リンクの前記一端に枢着され、且つ前記第１リンクと第２リンクを収容できる取り付けボックスをさらに含む。
【００１０】
上記ディザリング装置の好ましい技術的解決手段において、前記ディザリング装置は、ハウジングが前記モータのハウジング又は前記支持ベースに固定して接続され、その入力軸が前記モータの回転軸に駆動して接続され、その出力軸が前記第２リンクの他端に駆動して接続された減速機をさらに含む。
【００１１】
上記ディザリング装置の好ましい技術的解決手段において、前記ディザリング装置は、その一端が前記支持ベースに固定して接続され、又は一体的に構成され、その他端が前記ビームにスライドして接続され、それによって前記ビームが自体の長手方向に沿ってスライド可能である支持アームをさらに含み、且つ／又は、前記モータが電動機である。
【００１２】
また、本発明は、上記ディザリング装置の好ましい技術的解決手段のいずれか一項に記載のディザリング装置を含み、前記支持ベースが前記衣類の処理機器の筐体である衣類の処理機器をさらに提供する。
【００１３】
上記衣類の処理機器の好ましい技術的解決手段において、前記衣類の処理機器がドライクリーニング機、衣類乾燥機、衣類ケア機又はワードローブである。
【００１４】
当業者が理解できるのは、本発明の好ましい技術的解決手段において、ビームを支持ベースにスライドして接続させ、モータのハウジングを支持ベースに固定して接続させ、第１リンクの一端をビームに枢着させ、第１リンクの他端を第２リンクの一端に枢着させ、第２リンクの他端をモータの回転軸に駆動して接続させることによって、モータが第２リンクを駆動して回動させ、それにより第１リンクがビームを動かして自体の長手方向に沿って往復直線運動させることができる。本発明の往復直線運動をするビームは、ハンガーを介して衣類を動かしてディザリングさせ、衣類の脱水乾燥の目的を達成することができる。また、ディザリングされた衣類は、自体のディザリング、伸ばしの作用により、自体を平らにし、シワの発生を防止し、ユーザの使用体験を高めることができる。
【図面の簡単な説明】
【００１５】
【図１】本発明の第１実施例におけるディザリング装置の正面図である。
【図２】本発明の第１実施例におけるディザリング装置の第１側面図である。
【図３】本発明の第１実施例におけるディザリング装置の第２側面図である。
【図４ａ】図１におけるディザリング装置の部分平面図（ケース１）である。
【図４ｂ】図１におけるディザリング装置の部分平面図（ケース２）である。
【図４ｃ】図１におけるディザリング装置の部分平面図（ケース３）である。
【図５】本発明の第１実施例におけるビームの側面図である。
【図６】図１のＡ−Ａ方向の断面図である。
【図７】本発明の第２実施例におけるディザリング装置の側面図である。
【図８】本発明の第２実施例におけるディザリング装置の正面図である。
【発明を実施するための形態】
【００１６】
当業者が理解できるのは、本節の実施形態は、本発明の技術原理を説明するためにのみ用いられ、本発明の保護範囲を限定するために用いられるものではない。例えば、図面中の各部材の間は一定の比率関係に基づいて描かれるが、これらの比率関係は固定ではなく、当業者は、必要に応じてそれを調整し、具体的な応用ケースに適応させることができ、調整後の技術的解決手段は、依然として本発明の保護範囲に入る。
【００１７】
なお、本発明の説明において、「中心」、「上」、「下」、「左」、「右」、「垂直」、「水平」、「内」、「外」等の方向又は位置関係を示す用語は、図面に示された方向又は位置関係に基づくものであり、これは、単に説明を容易にするためのものであり、前記装置又は要素が特定の方向を有し、また、特定の方向で構成し、動作しなければならないことを指示したり暗示したりするものではなく、したがって、本発明を限定するものとして理解できない。さらに、用語「第１」、「第２」、「第３」は、説明にのみ用いられ、相対的重要性を指示したり暗示したりするものとして理解できない。
【００１８】
なお、本発明において、特に明示的な規定と限定がない限り、「取り付け」、「連結」及び「接続」という用語は一般的に理解されるべきであり、例えば、固定的な接続であってもよいし、取り外し可能な接続であってもよいし、又は一体的な接続であってもよいし、直接であってもよいし、又は中間媒体による間接的な接続であってもよいし、２つの要素の内部の連通であってもよい。当業者にとって、状況に応じて本発明における上記用語の具体的な意味を理解することができる。
【００１９】
本発明の第１実施例において：
【００２０】
図１から図４ｃに示すように、本発明の衣類用のディザリング装置は、主に支持アーム１と、ビーム２と、支持棒３と、第１リンク４と、第２リンク５と、減速機６と、電動機７とを含む。支持アーム１の先端が支持アーム取り付け孔１１を介して支持ベース９に固定され、又は当業者は、必要に応じて、支持アーム１を固定基体９と一体的に構成してもよい。支持アーム１の底端がビーム２の端部にスライドして接続され、それによってビーム２が支持ベース１に対して自体の長手方向に沿って前後にスライド可能である。又は、ビーム２がディザリング可能であるという前提で、当業者は、必要に応じて、支持アーム１の先端を支持ベース９に可動して接続させ、支持アーム１の底端をビーム２の端部に固定して接続させることもできる。
【００２１】
引き続き図１から図４ｃを参照すると、電動機７のハウジングが支持ベース９に固定して接続され、減速機６のハウジングが電動機７のハウジングに固定して接続され、減速機６の入力軸が電動機７の回転軸に駆動して接続される。具体的には、減速機６の入力軸が電動機７の回転軸に同軸に固定される。また、減速機６の入力軸と電動機７の回転軸との駆動接続を確保するという前提で、当業者は、必要に応じて、減速機６のハウジングを固定基体９に固定することもできる。
【００２２】
引き続き図１から図４ｃを参照すると、支持棒３がビーム２の先端部に固定して接続され、当業者は、必要に応じて、支持棒３をビーム２と一体的に構成してもよい。第１リンク４の第１枢着端４１が支持棒３に枢着され、第１リンク４の第１可動端４２が第２リンク５の第２可動端５１に枢着され、第２リンク５の第２枢着端５２が減速機６の出力軸に同軸に固定して接続される。
【００２３】
図示は明示していないが、本発明の好ましい実施手段において、支持棒３に第１柱状構造が設置され、第１リンク４の第１枢着端４１に第１柱状構造と整合する第１孔状構造が設置され、第１柱状構造が第１孔状構造内に挿入されることで、支持棒３と第１リンク４との間の枢着を実現する。第１リンク４の第１可動端４２に第２孔状構造が設置され、第２リンク５の第２可動端５１に第２孔状構造と整合する第２柱状構造が設置され、第２柱状構造が第２孔状構造内に挿入されることで、第１リンク４と第２リンク５との間の枢着を実現する。
【００２４】
運転時に、電動機７が減速機６にトルクを伝達し、減速機６が第２リンク５を動かして回動させる。第２リンク５の駆動により、第１リンク４の第１可動端４２が第２リンク５の第２可動端５１と共に回動し、第１リンク４の第１枢着端４１がビーム２を動かして自体の長手方向に沿って往復運動させる。
【００２５】
当業者が理解できるのは、必要に応じて減速機６を省略し、且つ電動機７の回転軸を第２リンク５の第２枢着端５２に直接固定して接続してもよい。
【００２６】
さらに当業者が理解できるのは、電動機７が油圧モータ又はエアモータのような他の任意の形式のモータに代替される。
【００２７】
以下、図４ａから図４ｃを参照すると、本発明の減速機６の設置ケースについて詳細に説明する。当業者は、実際の必要に応じて、図４ａから図４ｃを参照し、減速機６を異なる位置に設置することができる。
【００２８】
図４ａに示すように、第１リンク４の第１枢着端４１と第２リンク５の第２枢着端５２との連結線（図４ａに一点鎖線で示す）は、ビーム２の長手方向と平行である。このとき、減速機６は、その出力軸と第１リンク４の第１枢着端４１との連結線がビーム２の長手方向と平行であるように設置される。
【００２９】
図４ｂに示すように、第１リンク４の第１枢着端４１と第２リンク５の第２枢着端５２との連結線（図４bに一点鎖線で示す）は、ビーム２の長手方向となす角があり、且つ第２リンク５の第２枢着端５２は、第１リンク４の第１枢着端４１の上方に位置する。このとき、減速機６は、その出力軸が第１リンク４の第１枢着端４１の上方に位置するように設置される。
【００３０】
図４ｃに示すように、第１リンク４の第１枢着端４１と第２リンク５の第２枢着端５２との連結線（図４ｃに一点鎖線で示す）は、ビーム２の長手方向となす角があり、且つ第２リンク５の第２枢着端５２は、第１リンク４の第１枢着端４１の下方に位置する。このとき、減速機６は、その出力軸が第１リンク４の第１枢着端４１の下方に位置するように設置される。
【００３１】
図５に示すように、本発明のビーム２にビーム固定柱２１と、ねじ孔２２と、ストッパ溝２３とが設置される。ビーム固定柱２１がビーム２の先端部に設置され、各ビーム固定柱２１にいずれも１つのねじ孔２２が設置される。支持棒３の両端が２つのビーム固定柱２１にそれぞれ位置合わせ、ねじが支持棒３の取り付け孔を挿通した後にねじ孔２２に螺合され、ねじを締付けることによって支持棒３とビーム固定柱２１とを締結することができる。複数のストッパ溝２３は、ビーム２の長手方向に沿って等間隔に設置され、ハンガーのフックを載置して収容し、ハンガーがビーム２の長手方向に沿って前後に移動することを防止するために用いられる。又は、当業者は、必要に応じて、ハンガーをビーム２に直接設置することでハンガーとビーム２とを接続し、又は一体的に構成することもできる。ハンガーとビーム２は、溶接、ねじ接続、リベット締め、係止等の任意の実行可能な接続方式で接続することができる。
【００３２】
さらに、当業者は、必要に応じて、支持棒３を省略し、第１リンク４をビーム２に直接枢着することもできる。このとき、ビーム２上のビーム固定柱２１、ねじ孔２２も切り捨てられる。
【００３３】
図６に示すように、本発明のディザリング装置は、第１スライド補助構造１０と、第２スライド補助構造（図示せず）とをさらに含む。第１スライド補助構造１０が支持棒３と第１リンク４との間に設置され、それによって第１スライド補助構造１０を介して支持棒３と第１リンク４が枢着を実現する。第２スライド補助構造が第１リンク４と第２リンク５との間に設置され、それによって第２スライド補助構造を介して第１リンク４と第２リンク５が枢着を実現する。好ましくは、第１スライド補助構造１０と第２スライド補助構造はいずれも環状構造であり、さらに第１スライド補助構造１０及び／又は第２スライド補助構造は軸受又はブッシュであり、さらに該ブッシュは無給油ブッシュである。
【００３４】
本発明の第２実施例において：
【００３５】
図７と図８に示すように、第２実施例は、支持棒３を図７と図８に示された取り付けボックス２０に交換する点で第１実施例と異なる。該取り付けボックス２０の底端がビーム固定柱２１に固定して接続され、且つ該取り付けボックス２０内に、第１リンク４と第２リンク５を収容できるキャビティが形成されるので、本発明のディザリング装置の構造をより美観的にする。又は、当業者は、必要に応じて、取り付けボックス２０をビーム２に一体的に構成することもできる。
【００３６】
当業者が理解できるのは、上記第１実施例と第２実施例のいずれは、第１リンク４と第２リンク５を介して、電動機７の回転運動を直線運動に変換してビーム２を動かして自体の長手方向に沿って往復直線運動させることができる。本発明の往復直線運動をするビーム２は、ハンガーを介して衣類を動かしてディザリングさせることができ、衣類の脱水乾燥の目的を達成することができる。また、ディザリングされた衣類は、自体のディザリング、伸ばしの作用により、自体を平らにし、シワの発生を防止し、ユーザの使用体験を高めることができる。
【００３７】
また、本発明は、支持ベース９としての筐体と、上記実施例１又は実施例２に記載のディザリング装置とを含む衣類の処理機器をさらに提供する。本発明の好ましい実施手段において、衣類の処理機器は、ドライクリーニング機、衣類乾燥機、衣類ケア機（キャビネット）、ワードローブ等であってもよい。
【００３８】
なお、当業者は、必要に応じて、上に記載のディザリング装置を通常の物干しハンガーとして使用することもできる。例示的に、該物干しハンガーはバルコニー上の物干しハンガーであり、支持ベース９はバルコニー上の屋根である。ユーザは、洗濯後の衣類をハンガーに直接掛けて干すことができ、且つ電動機７を選択的に通電することでビーム２がハンガーを動かしてディザリングさせることができる。
【００３９】
ここまで、本発明の技術的解決手段を図面に示された好ましい実施形態に関連して説明してきたが、当業者が容易に理解できるのは、本発明の保護範囲が明らかにこれらの具体的な実施形態に限定されない。本発明の原理を逸脱することなく、当業者は、関連する技術的特徴について同等の変更又は置換を行うことができ、これらの変更又は置換後の技術的解決手段は、すべて本発明の保護範囲に入る。
【符号の説明】
【００４０】
１：支持アーム、１１：支持アーム取り付け孔、２：ビーム、２１：ビーム固定柱、２２：ねじ孔、２３：ストッパ溝、３：支持棒、４：第１リンク、４１：第１枢着端、４２：第１可動端、５：第２リンク、５１：第２可動端、５２：第２枢着端、６：減速機、７：電動機、８：ねじ、９：支持ベース、１０：第１スライド補助構造、２０：取り付けボックス
【図１】
2021533898.tif 000003
【図２】
2021533898.tif 000004
【図３】
2021533898.tif 000005
【図４ａ】
2021533898.tif 000006
【図４ｂ】
2021533898.tif 000007
【図４ｃ】
2021533898.tif 000008
【図５】
2021533898.tif 000009
【図６】
2021533898.tif 000010
【図７】
2021533898.tif 000011
【図８】
2021533898.tif 000012
【国際調査報告】
2021533898.tif 000013
2021533898.tif 000014
2021533898.tif 000015
2021533898.tif 000016
2021533898.tif 000017
2021533898.tif 000018